(57)【要約】      （修正有） 【課題】中空構造物や板状建築材料におけるアンカー耐力強度の改善を図ることができ、かつ、実用的に不燃性・耐火性を実現する機械式ブラインド拡開ボードアンカーを提供する。 【解決手段】機械式ブラインド拡開アンカーボルトにおいては、不燃性または可燃性素材から作られた内層プラグ外皮殻５で、内層プラグ６を被覆し、外層スリーブ４に挿入装填する。内層プラグ拡開部６E先端部6Eeに向かって径が小さくなる雌ネジ部６sc及び円錐部６Einにボルト２またはアイボルトアンカーピン20挿入し、内層プラグ６、内層プラグ外皮殻５、外層スリーブ４すべてを拡開させ、固定・係止する。火災時、 内層プラグ外皮殻５が不燃性の場合はすべてのアンカー部材が焼失せず残存し、可燃性の場合は内層プラグ外皮殻５のみ焼失するが、焼失ダメージは軽微で、アンカー抜け落ち・脱落事故は回避することができる。 【選択図】図３
2008286336.tif 000002
【特許請求の範囲】
【請求項１】
建築物の不燃材料として多用される石膏ボード等板状建材に対する、器材・機材固定に必須のボード用アンカーに関し、不燃・難燃機能を有する不織布・不燃紙等の原材料から製作された、断面形状が円形または多角形または円形と多角形が複合した外形状をもつ外層スリーブ（４）であって、該外層スリーブ胴部の一方の端面に形成された外層スリーブフランジ部（４Ｆ）、及び該外層スリーブフランジ裏面（４Fw）から、石膏ボード等板状建材の板厚相当距離に位置する該外層スリーブ拡開部スリット始点（４slit）から分岐する、該外層スリーブ胴部（４Ｂ）の他方の端面に形成された複数の外層スリーブ拡開部（４Ｅ１）（４Ｅ２）（４Ｅ３）（４Ｅ４）を備えた、該外層スリーブ（４）と、金属・セラミック等の不燃材料または不燃・難燃機能を有する不織布・不燃紙等の原材料から製作された、断面形状が円形または多角形または円形と多角形が複合した外形状をもつ内層プラグ（６）であって、該内層プラグ胴部（６B）の内側及び該内層プラグ拡開部（６E）の内側にボルト（２）螺合のための雌ネジ（６sc）がネジ切りされ、単数または複数の部品で構成される該内層プラグ胴部（６Bsc）及び複数の部品（６Ｅ１sc）（６Ｅ２sc）（６Ｅ３sc）（６Ｅ４sc）から構成される拡開部とを備えた、該内層プラグ（６）と、不燃・難燃機能を有する不織布・不燃紙等の原材料から製作され、併せて弾性または拡開変位耐力を持ち、上述該内層プラグ（６）と耐火・耐熱性接着剤等で接着され、該内層プラグ（６）の外面・外側を被覆し、該外層スリーブ（４）と該内層プラグ（６）との間に位置し、内層プラグ外皮殻胴部（５B）及び拡開部スリット始点（５slit）から分岐する、該内層プラグ（６Ｂ）の他方の端面に形成された、内層プラグ外皮殻拡開部（５Ｅ１）（５Ｅ２）（５Ｅ３）（５Ｅ４）とを備えた該内層プラグ外皮殻（５）と、ボルト（２）とを具備し、外層スリーブ（４）と内層プラグ外皮殻（５）と内層プラグ（６）が一体となり、石膏ボードほか板状建材（１）に穿孔された孔（１ｈ）に挿入されるものであって、前記外層スリーブの前記外層スリーブ胴部（４B）及び拡開部（４E）の内側に、前記内層プラグ外皮殻（５）に被覆された内層プラグ（６）が嵌合される嵌合用空間（４in）が形成されており、ボルト（２）螺合前の状態において、前記内層プラグ（６）の前記内層プラグ拡開部（６E）の内部に、前記内層プラグ胴部（６B）から該内層プラグ拡開部（６E）の先端部（６ex）に向かって径が小さくなる雌ネジ部（６sc）が形成されており、前記ボルト（２）の雄ネジ部（２msc）を前記内層プラグ（６）の前記雌ネジ部（６fsc）に挿入・螺合を進めることで、前記内層プラグ拡開部（６E）を拡開させ、その作用に拠り、前記外層スリーブ拡開部（４E）が拡開し、石膏ボードほか板状建材（１）に対する固定方法を特徴とする、不燃性機械式ブラインド拡開ボードアンカー。 
【請求項２】
前記請求項１に記載のボード用アンカーに関し、ボルト（20）を挿入固定する前の状態において、前記内層プラグ（６）の前記内層プラグ拡開部（６E）の内部に、前記内層プラグ胴部（６B）から該内層プラグ拡開部（６E）の先端部（６ex）に向かって径が小さくなる空隙部（６inB）が形成されており、前記内層プラグ外皮殻（５）と接着に因り一体となった、前記内層プラグ（６）を前記外層スリーブ（４）の前記内層プラグ嵌合用空間（４in）に嵌合の上、前記ボルト（20）を前記内層プラグ（６）の前記空隙部（６inB）に挿入を進めることで、前記内層プラグ拡開部（６E）を拡開させ、その作用に拠り、前記外層スリーブ拡開部（４E）が拡開するとともに、ボルト脚部先端（20Lt）が該内層プラグ拡開部（６E）の先端部（６ex）より石膏ボードほか板状建材（１）裏側空間に突き抜け変位し、ボルト脚部雁部（20Lk）が、前記内層プラグ拡開部（６E）先端部（６ex）の小段複数箇所（６Eex１）（６Eex２）（６Eex３）（６Eex４）に引っ掛かり固定され、引っ張り応力が生じた際に、抜け・脱落防止機能を獲得することを特徴とする、不燃性機械式ブラインド拡開ボードアンカー。 
【請求項３】
前記請求項１及び請求項２に記載のボード用アンカーに関し、布・紙・合成樹脂等の可燃性原材料から製作された、内層プラグ外皮殻胴部（５B）及び拡開部スリット始点（５slit）から分岐する、該内層プラグ（６Ｂ）の他方の端面に形成された、内層プラグ外皮殻拡開部（５Ｅ１）（５Ｅ２）（５Ｅ３）（５Ｅ４）とを備えた該内層プラグ外皮殻（５）を有する、石膏ボードほか板状建材（１）に対する固定方法を特徴とする、耐火性機械式ブラインド拡開ボードアンカー。 
【請求項４】
前記請求項１及び請求項２に記載のボード用アンカーに関し、 
ラテックス合成ゴム・ウレタンから超薄膜製造された弾性該内層プラグ外皮殻（５）であって、該内層プラグ（６）各部品組付後の拡開時において、該内層プラグ（６）のボルト螺合口以外またはボルト螺合口面以外を該一物の超薄膜で密着被覆し、ボルト螺合拡開時または固定後において、ボルト中心軸に向かう反拡開応力を発揮するバネ機能を備えた、該内層プラグ外皮殻（５）を有する石膏ボードほか板状建材（１）に対する固定方法を特徴とする、耐火性機械式ブラインド拡開ボードアンカー。 
【請求項５】
前記請求項１から４に記載の機械式ブラインド拡開ボードアンカーを使用する、石膏ボードほか板状建材（１）に対する、金属ダクトほか中重量物機器の固定方法・吊下げ方法・係止方法及び懸架方法。 
【発明の詳細な説明】
【技術分野】
【０００１】
本発明は、機械式ブラインド拡開ボードアンカーに関し、特に、中空構造物や板状建築 原材料用として好適な機械式ブラインド拡開ボードアンカーに関する。 
【背景技術】
【０００２】
中空構造物や板状建築原材料に対して設けられる機械式ボードアンカーとしては、以下に示すものがある。 
（１）下記の特許文献１に開示されている中空構造物用の取付ボルト。この取付ボルトに おいては、係止羽根と名付けられた金属板が、母材（板材）へ貫通挿入されたのちに、母 材の裏側でボルト軸に対し直交に変位し、その後の螺合により、この係止羽根と表側座金 及びナットとが母材壁体を挟み込んで固定する。 
（２）下記の特許文献２に開示されているボード用アンカー。このボード用アンカーにお いては、その軸線に平行なスリットを有した中空金属が母材の裏側でスリット中間位置から折り曲って変形し、螺合作用により表側ビスに付属する座金との挟合作用により固定する。 
（３）下記の特許文献３に開示されているファスナー。 
【特許文献１】特開平１１−４４３１１号公報
【特許文献２】特開２００３−４２１２４号公報
【特許文献３】特開２００３−２３２３１８号公報
【特許文献４】実開平６−７６５０３号公報
【特許文献５】特願２００５−２２８３８５号 明細書
【特許文献６】特願２００５−３６０３６３号 特許第３９３３１７８号 拙著
【発明の開示】
【発明が解決しようとする課題】
【０００３】
しかしながら、
（１）上記の特許文献１に開示されている中空構造物用の取付ボルトでは、軸止部材の寸法上の限界により大きくできず、小さな部材同士での引張耐力保持は無理であるため、軸止部からの脱落の怖れがあるという問題がある。 
（２）上記の特許文献２に開示されているボード用アンカーでは、意図的に中間部から折り曲げて変形可能な金属でなければ作用しないため、引張及びせん断強度におのずと限界があり、「軟性鋼」に対応する、口径の細いビスによる螺合のため、特にせん断耐力が 脆弱であるという問題がある。 
（３）上記の特許文献３に開示されているファスナーでは、表方向からの打撃によりスリーブとスリーブ内に嵌合されるプラグとがそれぞれ有する突起部及びネック部の摺接および拡張の結果、ビス（ねじ部材）に対してプラグ（雌ねじ部）を固定保持するが、（ａ）一見ビスの螺合が拡開作用を及ぼしているように見えるが、実際にはスリーブとプラグとの形状凸凹の変位による拡開作用であるため、ビス螺合装着の有無に拘わらず、拡開状態は変化しないので、ボルト（雄ネジ部）螺合が作用する拡開効果はない。（ｂ）ビス螺合後の結果として拡開状態が窄まり状態に戻ることを防止しているとしても、ビスのテーパ角度とスリーブとプラグ拡開角度がほぼ同角度であれば、アンカーにとって最も要求される引抜強度（＝引張強度）が発生しない。後述するが、より大きなアンカー強度を得るためには、少なくとも螺合させる部品はボルトであること（すなわち、テーパを持たないもの）を採用すること、また、アンカー挿入時及び拡開時など全工程において母材（脆性破壊に弱い原材料が多い。）に対して打撃及び圧縮などのダメージ（負荷 ）を与えないことが重要である。 
【０００４】
また、上記の特許文献１〜３に開示されているものはいずれも、母材に対する負荷およびダメージを前提としているか、逆に耐力発揮に不可避な条件としている。たとえば、 
（１）上記の特許文献１に開示されている中空構造物用の取付ボルトでは、係止羽根の厚みに相当する面で母材（壁体）を挟持するが、石膏ボードなどの脆性原材料ではボルト引張作用によるこの係止羽根の圧縮に耐え切れず、容易に母材内に潜り込み、母材破壊をもたらす。 
（２）上記の特許文献２に開示されているボード用アンカーでも、やはり、折れ曲がって定置した金属片が母材と接触し耐力を伝える面積が極めて微小である。また、この金属片はビス周りを支点として引張応力に対応しようとするが、折れ曲って畳み込まれた外縁端部には支えるものがなく、かつ、軟らかい金属を使用しているため、容易に引抜けまたは母材潜込み破壊を起しやすい。 
（３）上記の特許文献３に開示されているファスナーでは、スリーブ及びプラグ挿入打撃時に、瞬間的に母材小口（板状原材料の最も耐力が弱い部所）に対し部分圧縮荷重がかかる。また、構造上、打撃装着は不可避である。 
以上の弱点は、上記の特許文献４（実開平６−７６５０３号公報）においても摘示され課題とされている。 
【０００５】
［特許文献６］特願２００５−３６０３６３号 特許第３９３３１７８号 拙著において、外層スリーブ及内層プラグの拡開を可能にする手段は、該部品を弾性原材料を用い、製作しなければならないことであった。しかしながら、「不燃性」と「弾性」を両立させるには、1.不燃性合成樹脂の開発 2.弾性金属または形状記憶合金の実用化 は避けて通ることができなかった。 
【０００６】
本発明の目的は、建築材料としてのボード用アンカーの「不燃性」を、現実的に獲得する手段・方法を提供することにある。 
【課題を解決するための手段】
【０００７】
〈外層スリーブ（４）について〉 
・  不燃・難燃機能を獲得するため、広汎に商品化が定着した不織布のうち、不燃性不織布または、不燃紙等の原材料から製作する。 
・  断面形状は円形または多角形または円形と多角形が複合した外形状をもつ。円形であれば、任意の拡開数でよく、四角形であれば四分割された拡開部を有することとなるし、八角形であれば八分割された拡開部を形成することになる。螺合・緊結の際、外層スリーブが螺合回転方向に回転すべり＝共廻りを起こすため、外層スリーブ（４）の外形断面形状つまり外周が円であれば、共廻り防止爪（４R）を施さねばならない。一方、四角形等多角形であれば、共廻り防止爪（４R）は不要となる。但し、多角形に適合する、1.相似形の多角形 または 2.「より狭めの丸孔」を穿孔する必要が生じる。 
・  また、該外層スリーブ（４）には、内層プラグ外皮殻（５）に被覆された内層プラグ（６）が嵌合される嵌合用空間（４in）が形成されている。図３では螺合作業時の共廻り＝空転防止のため、該外層スリーブ（４）内側つまり内層プラグ（６）を覆う内層プラグ外皮殻（５）との接縁部＝内周を円と八角形の２辺とで混合構成している。 
・  該外層スリーブ胴部の一方の端面つまり、ボルト挿入口側に形成された外層スリーブフランジ部（４Ｆ）の裏面（４Fw）から外層スリーブ拡開部スリット始点（４slit）までの距離は石膏ボード等板状建材の板厚相当である。該外層スリーブ（４）は拡開部スリットによって分岐し、該外層スリーブ胴部（４Ｂ）の他方の端面つまりボード裏面側に複数の外層スリーブ拡開部（４Ｅ１）（４Ｅ２）（４Ｅ３）（４Ｅ４）を備える。 
・  該外層スリーブ（４）は、石膏ボードほか板状建材（１）に穿孔された孔（１ｈ）に挿入装着拡開後における、様々な外力・応力の一点集中＝偏加力を回避・分散し、該石膏ボードほか板状建材（１）保護機能を有する。 
・  図１では外層スリーブ（４）における、フランジ部（４F）、胴部（４B）共 円形 で描画している。対石膏ボード（１）との接点には共廻り防止爪（４R）を、対内層プラグ外皮殻（５）及び内層プラグ（６）との接点には共廻り防止用切欠き（４J）を施している。 
・  図２は外層スリーブのみ、母材石膏ボード（１）に挿入した状態を描画している。A図は非拡開時を示し、B図は拡開時を示す。該石膏ボード裏面（１w）との接縁（４x）外周に小段突起を設け、より安定したボード挟持効果を持たせてもよい。 
【０００８】
〈内層プラグ（６）について〉 
・  金属・セラミック等の不燃材料または不燃・難燃機能を有する不織布・不燃紙等の原材料から製作する。 
・  断面形状は円形または多角形または円形と多角形が複合した外形状をもつ。０００７項〈外層スリーブ〉と同様に共回り防止効果を得ようとすれば、外形断面形状が八角形または円と多角形の複合型であれば、より効果的である。 
・  該内層プラグ（６）は単数または複数の部品で構成される胴部（６B）と複数の部品（６Ｅ１sc）（６Ｅ２sc）（６Ｅ３sc）（６Ｅ４sc）から構成される拡開部とを備える。 
・  請求項１＝図１では、該内層プラグ胴部（６B）の内側及び該内層プラグ拡開部（６E）の内側にボルト（２）螺合のための雌ネジ（６sc）がネジ切りされ、非拡開時では円錐状の空隙である。また請求項２＝図４では、該胴部（６B）から該拡開部（６E）の先端部（６ex）に向かって径が小さくなる空隙部（６inB）が形成され、雌ネジに替わり平滑な内周面になっている。 
・  図３−Aに示すように、内層プラグ胴部（６B）を２部品、内層プラグ拡開部（６E）を４部品で製造する方法をとれば、タッピング手段ではなく、鋳型成型・型抜成型による手段で雌ネジ切りが実現する。 
・  図４に示すように、アイボルトアンカーピン（20）を嵌合用空間（６inB）に嵌合の上、真っ直ぐ挿入を進めることで、該内層プラグ拡開部（６E）を拡開させ、その作用に拠り、前記外層スリーブ拡開部（４E）が拡開するとともに、ボルト脚部先端（20Lt）が該内層プラグ拡開部（６E）の先端部（６ex）より母材石膏ボード（１）の裏側空間に突き抜け、ボルト脚部雁部（20Lt）が、前記内層プラグ拡開部（６E）先端部（６ex）の小段複数箇所（６Eex１）（６Eex２）（６Eex３）（６Eex４）に引っ掛かり固定される方法をとる。該固定方法が、引っ張り及び剪断応力が生じた際に、抜け・脱落防止機能を発揮する。 
【０００９】
〈内層プラグ外皮殻（５）について〉 
・  請求項１に記載のように、不燃・難燃機能を有する不織布・不燃紙等の原材料から製作し、該ボードアンカー全体を「不燃性」にする方法と、請求項３乃至４のように、可燃材料を用い、火災被災において、焼失・溶融したとしても、その焼失容量・溶融 空隙容量を極力抑え、被災時アンカー脱落事故を回避・防止する「耐火性」にする方法の両様が成立する。 
・  請求項１記載の不燃材料で製作する場合は、拡開変位に耐える弾性機能を要求される。請求項３の実施例は容易に燃える紙または布を想定している。いずれの場合も、接着剤等を用い該内層プラグ（６）と接着し、該内層プラグ（６）の外面・外側を被覆する。厚くても１mm未満の紙または布を用いれば、該内層プラグ外皮殻（５）が火災に因り焼失してもアンカー本体の抜け落ち現象は起きないと想定する。 
・  請求項１及び請求項３の場合は複数のスリットを設け、拡開変位に対応させる。内層プラグ外皮殻胴部（５B）及び拡開部スリット始点（５slit）から分岐する、該内層プラグ（６Ｂ）の他方の端面に形成された、内層プラグ外皮殻拡開部（５Ｅ１）（５Ｅ２）（５Ｅ３）（５Ｅ４）により構成される。 
・  また、前述外層スリーブ供廻り防止切欠き（４J）に対応する位置に外皮殻爪（５J）を設け、空転を回避するか、断面形状外形を八角形等の多角形とし、供廻り防止機能を発揮させる。また、断面外形形状が円形では内層プラグ（６）の拡開部部品（６Ｅ１）（６Ｅ２）（６Ｅ３）（６Ｅ４）は最小四部品となる。多角形では多角形と同数の部品となる。 
・  内層プラグ外皮殻（５）を不燃不織布・不燃紙で製作する場合、芯材に薄い金属板を封入してもよい。そうすれば、原状回復力・バネ機能が発揮され、螺合されるボルト（２）と良好な密着効果が得られる。また、該バネ機能は、壁に対して該アンカーを装着する際、ボルト（２）より下方に位置する、例えば内層プラグ外皮殻（５Ｅ３）（５Ｅ４）内層プラグ拡開部部品（６Ｅ３）（６Ｅ４）が重力に抗ってボルト（２）に対し密着する効果を獲得する。従って、より滑らかな螺合挙動を示す。 
・  請求項４に記載する、ラテックス合成ゴム製・ウレタン製内層プラグ外皮殻（５）は、既に市場で実現している、薄膜厚＝0.02mm以上を活用するものである。火災に因り該内層プラグ外皮殻（５）が焼失しても、例えば0.02mm厚であれば、アンカー本体の変位も極少であり、まったく「アンカー脱落現象・事故」を心配する必要がない。また伸縮自在のため、ボルト螺合時または挿入時における拡開作用に対する、反力＝バネ機能を獲得することができる。更に集積された内層プラグ拡開部部品に対し、ラテックス合成ゴム・ウレタンの吹き付け蒸着方法、または袋状になった一枚の薄膜で被覆されるため、接着剤等を用いた接着工程を省略することができる。 
【００１０】
前述、０００８項及び０００９項により製作され一体となった、内層プラグ外皮殻（５）と内層プラグ（６）を外層スリーブ（４）の前記内層プラグ嵌合用空間（４in）に嵌合・挿入する。ボルト（２）の雄ネジ部（２msc）を内層プラグ（６）の雌ネジ部（６fsc）に挿入・螺合を進める。この作用により、内層プラグ拡開部（６E）が拡開する。該内層プラグ拡開部（６E）は外側に外層スリーブ拡開部（４E）を押し拡げ、石膏ボードほか板状建材（１）に対し、上下左右緩みがなくなり、該アンカーが固定される。発明名称を不燃性機械式ブラインド拡開ボードアンカーまたは耐火性機械式ブラインド拡開ボードアンカーという。 
【発明の効果】
【００１１】
外層スリーブ（４）及び内層プラグ（６）は、不燃・難燃機能を有する不織布・不燃紙・金属・セラミック等の原材料から製作することは火災時脱落事故を回避する上で絶対条件であるが、実用上は内層プラグ（６）の外側を被覆する内層プラグ外皮殻（５）は、燃え易い紙類・布類等の原材料から製作することで、軽量化と製造原価低減を実現する。 
火災被災時、該内層プラグ外皮殻（５）は焼失するが、外層スリーブ（４）及び内層プラグ（６）は、不燃・難燃機能をもつため、該内層プラグ（６）螺合されたボルト（２）は、該内層プラグ外皮殻（５）の焼失空隙・空間部だけの変位を生じるものの、螺合状態または嵌合状態に異変は生じないため、該ボルト（２）脱落・折損までには至らない。いずれにしろ、火災焼失後は室内にあった家具什器の再使用はないと想定できるから、脱落事故・折損事故さえ発生しなければよい。 
【００１２】
内層プラグ外皮殻（５）は薄ければ薄い程、焼失後変位が少ないため、ラテックス合成ゴム製品及びウレタン製品を用いた内層プラグ（６）被覆方法は特に有効である。この場合は拡開部スリット始点（５slit）から分岐・分離成型する必要がなくなるとともに、むしろ、一物成型により、ボルト（２）に対し、原状回復力＝バネ機能＝求心応力＝窄まり機能が実現する。前述したように、内層プラグ外皮殻（５）と内層プラグ（６）との接着も不要となる。 
【００１３】
請求項２に記載したが、外層スリーブ（４）、内層プラグ外皮殻（５）内層プラグ（６）とも前記と同様の機能とするが、内層プラグ（６）分割部品（６Ｅ１sc）（６Ｅ２sc）（６Ｅ３sc）（６Ｅ４sc）にはネジ切りを施さない部品によるアンカー設立も可能である。図４に示したアイボルトアンカー雁部（20Lt）を持ち、脚部（20L）が多角形または円形の断面形状を有するボルト・ アイボルトアンカー（20）が固定・ファスニング機能を司る。該雁部（20Lt）が内層プラグ拡開部（６E）先端部（６ex）の小段複数箇所（６Eex１）（６Eex２）（６Eex３）（６Eex４）に引っ掛かり固定され、引っ張り応力が生じた際に、抜け・脱落防止機能を獲得する。 
【００１４】
該不燃性または耐火性機械式ブラインド拡開ボードアンカーを使用し、石膏ボードの裏側に位置し石膏ボード支持体である軽量鉄骨スタッドまで穿孔を施し、該スタッドもろともアンカー固定が可能となれば、超高層ビルの超高層階における中重量物の固定が実現し、低周波地震動対策が容易となる。併せて、経済性から大半が合成樹脂製の可燃物から製造販売され市場に出回るボード用アンカーの欠点を補うことができる。 
【００１５】
耐震性能並びに耐火性能及び経済性すべてを充足する、かつ今まで成し得なかった、金属ダクトほか中重量物機器の固定方法・吊下げ方法・係止方法及び懸架方法に供するアンカーの発明である。 
【００１６】
本発明の不燃性・耐火性機械式ブラインド拡開ボードアンカーは、以下に示す効果を奏する。 
（１）上述した従来技術で問題であった母材に対する部分負荷加重とアンカー係止軸部降伏による引抜け事故とを回避することができるとともに、母材を補強すればするだけ引抜き強度を増すことができる。たとえば、石膏ボードなどのような脆性原材料壁体であれば、裏側に格子状の金属製メッシュまたは予め開孔しておいた鋼製フラットバーや山形鋼などを裏打ち補強し、このメッシュの一つの格子または開孔部をアンカー耐力口元に設定し、小段を設けたアンカー拡開部で拡開及び固定して、アンカー耐力を獲得することが考えられる。中高層建築物に多用されている強化石膏ボードに対して、この補強を施し、制御盤、自動販売機及び空調設備機器などのような中重量物の係止や吊留めの用に供することができる。この石膏ボードのような間仕切り材や天井材に対して安心かつ安定したアンカー耐力の付加が可能となれば、各階床や天井を構成するスラブからアンカーボルトを予め設置しておく必要性や頻度も減少し、工事期間短縮及び構造物総重量の軽量化にも資すると考えられる。 
（２）板状の母材にＦ．Ｒ．Ｐ（レインフォースドプラスティック）を用いれば、補強されたせん断強度分だけアンカー耐力を獲得できる、または、必要とされる実用強度から逆算して板状の母材の厚みや重量を設定することが可能となる。建築物ほか航空機のような 
構造物や工作物の軽量化にも寄与すると考えられる。 
（３）アンカー設置対象原材料は板状建材各種ほかに２×４などの木材角材にも使用が可能であるから、裏側に手が入らずナットが締結できない一方向からだけの作業環境下においても建築材料の係止やボルティングが可能となる。なお、対象材は、木質系ボード（インシュレーションボード、ファイバーボード、テンパーボード、パーティクルボード、ランバーコア・単板積層材・配向性ボード、パララム・ウェハーボード）や、セメント系ボード（ケイ酸カルシウムボード、フレキシブルボード、木毛セメントボード、石膏ボード、シージングボード、強化石膏ボード、石膏ラスボード、化粧石膏ボード、吸音用穴開きボード、複合石膏ボード）を対象とする。 
【実施例】
【００１７】
以下、本発明の不燃性・耐火性機械式ブラインド拡開ボードアンカーの実施例について、図面を参照して説明する。 
図１は、［特許文献６］特願２００５−３６０３６３号 特許第３９３３１７８号 拙著を踏襲している。 
・  相違点は一体一物であった内層プラグを図１A・Cに示す、母材ボード（１）裏面とほぼ同一面上にある、（6E1spB）（6E2spB）スリットにより胴部（６B）と拡開部（６E）とに分離したことである。こうすることにより、弾性金属または不燃性合成樹脂材料使用を回避でき、鋳型型抜成型による雌ネジ形成・タッピングほか、従来技術を活用した大量生産による製造原価低減効果を見込むことができるようになった。 
・  ボルト（２）の螺合進行に従って、（６E）（５E）（４E）が拡開し、締め込み緊結完了後は母材ボード（１）に対し、上下左右変位及び全方位変位がなくなり、固定が完結する。 
・  緊結後、引っ張り応力が常に存在する場合、その負荷は内層プラグ拡開部（６E）と外層スリーブ拡開部（５E）との摩擦抵抗及びボード（１）に穿孔された孔（１ｈ）内周裏面縁への圧縮とに分解される。従って、軽量鉄骨スタッドもろともアンカー係止することにより、ボードに対する圧縮応力を分散軽減することが重要となる。 
図２は、図１に示した螺合式アンカーのうち、外層プラグ（４）だけを図示したものである。 
・  不織布・不燃紙には拡開変位に耐えられる「伸縮力」「弾性」が必要となる。  
【００１８】
図３につき、詳述する。 
・  A図は内層プラグ（６）を鋳型型抜成型方法か成型後タッピング方法により、胴部（６B）２部品、拡開部（６E）４部品で製作されたことを図示する。B図において組み付けられ、内部にボルト螺合のための雌ネジ部が形成されている。  
・  当図３においては内層プラグ（６）及び皮膜としての内層プラグ外皮殻（５）は八角形、外層スリーブ（４）は八角形と円形の複合型としている。理由は共廻り防止機能付与のためである。但し、母材ボード（１）との共廻り防止処理はD図における、共廻り防止爪（４R）とボード孔（１ｈ）の縁に施す切欠きによる手段で行う。 
・  C図における内層プラグ外皮殻（５）は垂直方向で積み上げた、下段（６B１）（６B２）上段（６E１）（６E２）（６E３）（６E４）に対し、ラテックス合成ゴムまたはウレタンを吹き付け塗布の上、固化させたものである。下端にあるボルト螺合口面以外一物の袋ですっぽり覆われた状態である。 
・  D図は外層スリーブを図示している。八角形の外周の２面を残し、内層プラグ（６）との間に共廻り防止機能を付与している。その他の面は折り目を付けず丸めたため、円形となっている。そして、内層プラグ拡開部数に見合う拡開スリット（４Esrts）を設け、拡開させようとしている。また、垂直方向全体にスリット（４Esrtg）を形成させ、母材ボード孔径（１ｈ）に対しフレキシブルに対応させようとしている。 
・  E図はC図＝一体となった、内層プラグ（６）内層プラグ外皮殻（５）とD図＝外層スリーブ（４）とを合体させた図である。 
・  F図は螺合緊結が完結し、ボード（１）に対し、該アンカーが固定された状態を示している。内層プラグ外皮殻（５）は伸縮自在につき、拡開時は伸びた状態になっており、ボルト軸中心に向かい、窄まり力が働いている。 
・  内層プラグ外皮殻（５）に使用するラテックス合成ゴムまたはウレタンの弾性を最適化することにより、接着剤を使用することなく内層プラグ（６）各部品を一体化させ、また併せて「バネ機能」をを得ることになる。 
【００１９】
図４につき、詳述する。 
・  当図は請求項２に記載した非螺合型アイボルトアンカー（20）の実施例である。 
・  拡開作用を獲得するには該発明のようにピン挿入拡開式も考えられる。但し、アンカー係止耐力はボルト雁部（20Lt）と内層プラグ拡開端部（20Lt）のみに依拠するため、該部材の強度が要求される。 
・  内層プラグ外皮殻（５）にラテックス合成ゴムまたはウレタンを使用した場合、アイボルトアンカー（20）ピンを挿入しても破れることなく伸縮すると想定する。 
【００２０】
当該発明の最大要素は 
・  非拡開時において、円錐状に成型された内層プラグ拡開部雌ネジ部（６sc）が、ボルト螺合進行に従って、ボルトの形状である円筒形になろうとする応力を拡開作用に導き、アンカー本体を裏側から係止するものである。 
・  非拡開時において、円錐状に成型された内層プラグ拡開部（６Ein）が、アイボルトアンカー（20）ピン挿入進行に従って、ピンの形状である円筒形になろうとする応力を拡開作用に導き、更に裏側においてアイボルトアンカー（20）のピン雁部（20Lt）をアンカー本体雁部（６Lt）により挟持させ、裏側から係止するものである。 
【図面の簡単な説明】
【００２１】
【図１】本発明の一実施例による不燃性機械式ブラインド拡開ボードアンカーの構成を示す図であり、Aは非拡開時における壁面ボード断面概念図である。Bは同非拡開時におけるボルト軸方向裏側からの見上図である。Cは拡開時断面概念図でありD図はその軸方向見上図である。
【図２】本発明の一実施例による不燃性機械式ブラインド拡開ボードアンカーのうち、外層スリーブのみを装着した状態を示す。Aは非拡開時断面概念図、Bは非拡開時ボルト軸方向見上図、Cは拡開時断面概念図、Dは拡開時ボルト軸方向見上図である。
【図３】本発明の一実施例による耐火性機械式ブラインド拡開ボードアンカーのうち、内層プラグ外皮殻にラテックス合成ゴムまたはウレタンを使用した場合を示す。Aは内層プラグ各部品斜視図、Bは同内層プラグ部品組付斜視図、Cは内層プラグ（４）に対し、ラテックス合成ゴムまたはウレタンを吹き付け塗布したものの概念図である。Dは不織布一枚で製作された外層スリーブ斜視図、Eは外層スリーブ（４）の中に内層プラグ（４）に対し、ラテックス合成ゴムまたはウレタンを吹き付け塗布したものを装填した斜視図である。Fは拡開緊結完了後の該アンカー斜視図である。
【図４】本発明の一実施例による不燃性・耐火性機械式ブラインド拡開ボードアンカーのうち、非螺合型アンカーピン方式を図示している。Aは外層スリーブ（４）装填後、内層プラグ（６）及び内層プラグ外皮殻（５）を挿入しようとするものである。B-1はアンカーピン挿入非拡開時の断面概念図ボルト軸方向見上図、B-2はそのボルト軸方向見上図である。C-1はアンカーピン装着拡開後の断面概念図、C-2はそのボルト軸方向見上図である。
【符号の説明】
【００２２】
１       母材ボード 
１h        アンカー受け孔 
１w        母材ボードおもて面 
１x        母材ボードうら面 
２         ボルト 
２b        ボルト脚部 
３       スプリングワッシャー 
４             外層スリーブ 
４B        外層スリーブ胴部 
４E        外層スリーブ拡開部 各部品（４E１）（４E２）（４E３）（４E４） 
４Est1・2  外層スリーブ拡開部外形直線部 
４Esrtg    外層スリーブ垂直大スリット 
４Esrts    外層スリーブ垂直小スリット 
４F        外層スリーブフランジ部 
４Fst1・2  外層スリーブフランジ部外形直線部 
４F        外層スリーブフランジ部 
４Fv       外層スリーブフランジ部おもて面
４Fw       外層スリーブフランジうら面 
４x        外層スリーブボードうら面接点 
４J        外層スリーブ共廻防止爪部 
４R        外層スリーブ共廻防止爪 
４pr       外層スリーブボード裏側接縁部 
４slit     外層スリーブスリット始点 
５       内層プラグ外皮殻 
５B        内層プラグ外皮殻胴部 
５E        内層プラグ外皮殻拡開部 各部品（５E１）（５E２）（５E３）（５E４） 
５ex       内層プラグ外皮殻拡開部端部 
５J        内層プラグ外皮殻共廻防止爪 
６             内層プラグ 
６B        内層プラグ胴部 
６E        内層プラグ拡開部 各部品（６E１）（６E２）（６E３）（６E４） 
６E１exE   内層プラグ拡開先端部 
６Bsc      内層プラグ胴部雌ネジ部 各部品（６E１sc）（６E２sc）（６E３sc）（６E４sc） 
６Ein    内層プラボルト挿入円錐部 
６Esc      内層プラグ拡開部雌ネジ部 
６Esccorn      内層プラグ拡開部雌ネジ部非拡開時円錐 
６Esce     内層プラグ拡開部雌ネジ端部 各部品（６E１sce）(６E２sce)(６E３sce)(６E４sce) 
６E１exA   内層プラグ拡開部スリット 
６E１spB   内層プラグ胴部水平スリット 
６Lt       内層プラグ引掛り部 アイボルトアンカーピン（20）雁部（20Lt）対応部 
６sep    内層プラグ胴部・拡開部境界線 
20   アイボルトアンカーピン
20b        アイボルトアンカーピン脚部
20c アイボルトアンカーピン頭部 
【図１】
2008286336.tif 000003
【図２】
2008286336.tif 000004
【図３】
2008286336.tif 000005
【図４】
2008286336.tif 000006